(57)【要約】【課題】新規な開口操作部を備えた医療用バッグを提供する。【解決手段】上方への開口部１６を有する液収容領域１２が、表裏の内側シート１８の重ね合わせ面間に形成された液収容袋１４を備えた医療用バッグ１０であって、表裏の内側シート１８よりも幅寸法が大きい表裏の外側シート３８が、表裏の内側シート１８の各外面側に設けられており、表裏の外側シート３８が、開口部１６において表裏の内側シート１８にそれぞれ繋がっていると共に、表裏の外側シート３８は、表裏の内側シート１８を幅方向に外れた両側縁部において互いに繋がっており、表裏の外側シート３８には、表裏の内側シート１８との間へそれぞれ指先を挿入する指挿入口５０が設けられていると共に、指挿入口５０より下方では、表裏の外側シート３８が、表裏の内側シート１８に対してそれぞれ非固着とされている。【選択図】図１
2020081740.tif 000002
【特許請求の範囲】
【請求項１】
上方への開口部を有する液収容領域が、表裏の内側シートの重ね合わせ面間に形成された液収容袋を備えた医療用バッグであって、
前記表裏の内側シートよりも幅寸法が大きい表裏の外側シートが、該表裏の内側シートの各外面側に設けられており、
該表裏の外側シートが、前記開口部において該表裏の内側シートにそれぞれ繋がっていると共に、
該表裏の外側シートは、該表裏の内側シートを幅方向に外れた両側縁部において互いに繋がっており、
該表裏の外側シートには、該表裏の内側シートとの間へそれぞれ指先を挿入する指挿入口が設けられていると共に、
該指挿入口より下方では、該表裏の外側シートが、該表裏の内側シートに対してそれぞれ非固着とされている
医療用バッグ。
【請求項２】
前記表裏の外側シートが、前記表裏の内側シートの外周端縁を幅方向両側及び下方にそれぞれ越えて広がっており、
該表裏の内側シートを幅方向両側及び下方に外れた部分において、該表裏の外側シートが互いに固定されることにより、該表裏の外側シートが前記液収容袋を覆う外袋状とされている
請求項１に記載の医療用バッグ。
【請求項３】
前記表裏の内側シートからなる前記液収容袋が、前記表裏の外側シートの下端縁を越えて下方に延び出しており、
該内側シートを幅方向両側に外れた部分において、該表裏の外側シートが互いに重ね合わされて固着されることにより、該表裏の外側シートが前記液収容袋の上部を部分的に覆う周方向のカバー状とされている
請求項１に記載の医療用バッグ。
【請求項４】
前記表裏の内側シートには、前記液収容領域の前記開口部を閉鎖するチャック部が設けられており、
前記指挿入口の少なくとも一部が、該チャック部よりも上方又は該チャック部と重なる位置に設けられている
請求項１〜３の何れか１項に記載の医療用バッグ。
【請求項５】
前記表裏の外側シートの幅方向両側縁部において互いに繋がった部分の少なくとも一部が、前記指挿入口よりも下方に位置している
請求項１〜４の何れか１項に記載の医療用バッグ。
【請求項６】
前記表裏の外側シートが前記表裏の内側シートと別部材である
請求項１〜５の何れか１項に記載の医療用バッグ。
【請求項７】
前記表裏の内側シートの上端縁部が各外側に折り返されることにより、前記表裏の外側シートが、該表裏の内側シートと単一部材で構成されている
請求項１〜５の何れか１項に記載の医療用バッグ。
【請求項８】
上方への開口部を有する液収容領域が、表裏の内側シートの重ね合わせ面間に形成された液収容袋を備えた医療用バッグであって、
前記表裏の内側シートよりも幅寸法が大きい表裏の外側シートが、該表裏の内側シートの各外面側に設けられており、
該表裏の外側シートが、前記開口部において該表裏の内側シートにそれぞれ繋がっていると共に該表裏の内側シートを幅方向に外れた側縁部において互いに繋がっており、
該表裏の外側シートには、該表裏の内側シートとの間へそれぞれ指先を挿入する指挿入口が設けられている
医療用バッグ。
【発明の詳細な説明】
【技術分野】
【０００１】
本発明は、医療分野で用いられて栄養液や薬液、輸液などの液状体を収容する医療用バッグに関するものである。
【背景技術】
【０００２】
医療分野では、薬液や輸液などの液状体の取扱い等に際して医療用バッグが用いられている。例えば、経腸栄養法では、医療用バッグに収容した栄養液や薬液を、チューブを介して鼻腔等から胃や腸へ注入する。従来構造の医療用バッグは、例えば特開２０１１−７８７３７号公報（特許文献１）に開示されている。
【０００３】
特許文献１に記載の医療用バッグでは、２枚の軟質プラスチックシートの重ね合わせ面間に液状物の収容部が形成されている。また、各軟質プラスチックシートの外面には、上下に延びるシート状の開閉操作部が、上縁部と下縁部をそれぞれ溶着されることによって装着されている。そして、各軟質プラスチックシートと開閉操作部との間に形成された貫通路へ、作業者が手指を挿入し、指先を開くことで、収容部の上方への開口部を開いた状態に保つことができるようになっている。
【先行技術文献】
【特許文献】
【０００４】
【特許文献１】特開２０１１−７８７３７号公報
【発明の概要】
【発明が解決しようとする課題】
【０００５】
本発明の解決課題は、新規な開口操作部を備えた医療用バッグを提供することにある。少なくとも一つの課題としては、開口部を開操作するために操作部に加えられた操作力が、操作部の下縁部を通じて、軟質プラスチックシートの略中央部分にも及ぼされる場合に、収容部の開口部だけを効率的に広げることが難しいことがある。少なくとも一つの課題としては、開口部を開操作するための操作部の変形自由度が小さいことがある。
【０００６】
なお、本発明の解決課題は、新規な開口操作部を備えた医療用バッグを提供することであり、上記課題の全てを解決する必要はなく、また別の課題解決を実現可能にしたりすることを、目的の一つとする場合もある。
【課題を解決するための手段】
【０００７】
以下、本発明を把握するための態様について記載するが、以下に記載の各態様は、例示的に記載したものであって、適宜に互いに組み合わせて採用され得るだけでなく、各態様に記載の複数の構成要素についても、可能な限り独立して認識及び採用することができ、適宜に別の態様に記載の何れかの構成要素と組み合わせて採用することもできる。それによって、本発明では、以下に記載の態様に限定されることなく、種々の別態様が実現され得る。
【０００８】
第１の態様は、上方への開口部を有する液収容領域が、表裏の内側シートの重ね合わせ面間に形成された液収容袋を備えた医療用バッグであって、前記表裏の内側シートよりも幅寸法が大きい表裏の外側シートが、該表裏の内側シートの各外面側に設けられており、該表裏の外側シートが、前記開口部において該表裏の内側シートにそれぞれ繋がっていると共に、該表裏の外側シートは、該表裏の内側シートを幅方向に外れた両側縁部において互いに繋がっており、該表裏の外側シートには、該表裏の内側シートとの間へそれぞれ指先を挿入する指挿入口が設けられていると共に、該指挿入口より下方では、該表裏の外側シートが、該表裏の内側シートに対してそれぞれ非固着とされているものである。
【０００９】
本態様に従う構造とされた医療用バッグでは、液収容袋の開口部で内外シートが繋がっており且つ開口部より下方では内外シートが非固着とされていることから、指挿入口に挿入された指先から外側シートに及ぼされる操作力が、内外シートの繋がった部分を介して内側シートに伝達される。それ故、液収容袋の開口部を効率的に開くことが可能になる。
【００１０】
第２の態様は、前記第１の態様に係る医療用バッグにおいて、前記表裏の外側シートが、前記表裏の内側シートの外周端縁を幅方向両側及び下方にそれぞれ越えて広がっており、該表裏の内側シートを幅方向両側及び下方に外れた部分において、該表裏の外側シートが互いに固定されることにより、該表裏の外側シートが前記液収容袋を覆う外袋状とされているものである。
【００１１】
本態様に従う構造とされた医療用バッグでは、内側シートの全体を外側シートで覆うことが可能になり、外袋状とされた外側シートにより、液収容袋に対する保護作用も期待できる。
【００１２】
第３の態様は、前記第１の態様に係る医療用バッグであって、前記表裏の内側シートからなる前記液収容袋が、前記表裏の外側シートの下端縁を越えて下方に延び出しており、該内側シートを幅方向両側に外れた部分において、該表裏の外側シートが互いに重ね合わされて固着されることにより、該表裏の外側シートが前記液収容袋の上部を部分的に覆う周方向のカバー状とされているものである。
【００１３】
本態様に従う構造とされた医療用バッグでは、外側シートの製造を容易化することができる。また、外側シートを小さくできて、例えば内側シートの表面を視認性に優れた印刷面として利用したりすることも可能になる。
【００１４】
第４の態様は、前記第１〜第３の何れかの態様に係る医療用バッグにおいて、前記表裏の内側シートには、前記液収容領域の前記開口部を閉鎖するチャック部が設けられており、前記指挿入口の少なくとも一部が、該チャック部よりも上方又は該チャック部と重なる位置に設けられているものである。
【００１５】
本態様に従う構造とされた医療用バッグでは、指挿入口から挿入した手指による開操作力で広げられた開口が、それより上方に位置するチャック部の剛性で狭められる等の不具合も回避され得る。
【００１６】
第５の態様は、前記第１〜第４の何れかの態様に係る医療用バッグであって、前記表裏の外側シートの幅方向両側縁部において互いに繋がった部分の少なくとも一部が、前記指挿入口よりも下方に位置しているものである。
【００１７】
本態様に従う構造とされた医療用バッグでは、指挿入口から挿入した手指による開操作に際して、外側シートにおいて内側シートに繋がった部位よりも下側の表裏シートが、互いに内側シートから離れて広がるように立ち上がり、内側シートに繋がった部位に上手く力が伝達しないことが抑えられる。その結果、手指の開き量に対する液収容袋の開口量を大きくすることも可能になり、開口操作性の向上が図られ得る。
【００１８】
第６の態様は、前記第１〜第５の何れかの態様に係る医療用バッグにおいて、前記表裏の外側シートが前記表裏の内側シートと別部材であるものである。
【００１９】
本態様に従う構造とされた医療用バッグでは、例えば強度や耐熱性、耐薬品性などの要求される特性などに応じて、外側シートと内側シートの材質や厚さなどを互いに異ならせることも容易にできる。
【００２０】
第７の態様は、前記第１〜第５の何れかの態様に係る医療用バッグにおいて、前記表裏の内側シートの上端縁部が各外側に折り返されることにより、前記表裏の外側シートが、該表裏の内側シートと単一部材で構成されているものである。
【００２１】
本態様に従う構造とされた医療用バッグでは、シートのフィルムの安価化を実現することができる。例えば、部品点数であるシート枚数を少なくできると共に、片面のみにシーラント層がある安価なシートを採用することができる。
【００２２】
第８の態様は、前記第１〜第７の何れかの態様に係る医療用バッグにおいて、前記表裏の外側シートは、前記表裏の内側シートを幅方向に外れた両側縁部において上下方向の所定長さに亘って互いに繋がっているものである。
【００２３】
本態様に従う構造とされた医療用バッグでは、外側シートにおいて内側シートに繋がった部位よりも下側の表裏シートが、互いに内側シートから離れて広がるように立ち上がり、内側シートに繋がった部位に上手く力が伝達しないことが抑えられる。その結果、手指の開き量に対する液収容袋の開口量を大きくすることも可能になり、開口操作性の向上が図られ得る。
【００２４】
第９の態様は、上方への開口部を有する液収容領域が、表裏の内側シートの重ね合わせ面間に形成された液収容袋を備えた医療用バッグであって、前記表裏の内側シートよりも幅寸法が大きい表裏の外側シートが、該表裏の内側シートの各外面側に設けられており、該表裏の外側シートが、前記開口部において該表裏の内側シートにそれぞれ繋がっていると共に該表裏の内側シートを幅方向に外れた側縁部において互いに繋がっており、該表裏の外側シートには、該表裏の内側シートとの間へそれぞれ指先を挿入する指挿入口が設けられているものである。
【００２５】
本態様に従う構造とされた医療用バッグでは、指挿入口に挿入される外側シートが内側シートに比して幅寸法が大きく、表裏の内側シートを幅方向に外れた側縁部において互いに繋がっていることで、外側シートの変形自由度を高くすることができて、操作性を向上することができる。
【発明の効果】
【００２６】
本発明によれば、片手の指での操作によって液収容袋の開口部を開状態とすることができる、新規な開口操作部を備えた医療用バッグが実現可能になる。
【図面の簡単な説明】
【００２７】
【図１】本発明の第１の実施形態としての医療用バッグを示す正面図。
【図２】図１に示された医療用バッグを構成する内側袋を示す正面図。
【図３】図１に示された医療用バッグにおける挿入部に手指を挿入して開口部を開いた状態を説明するための説明図。
【図４】図１に示された医療用バッグにおける製造方法の具体的な一例を説明するための説明図。
【図５】図１に示された医療用バッグにおける製造方法の別の具体例を説明するための説明図。
【図６】図１に示された医療用バッグにおける製造方法の更に別の具体例を説明するための説明図。
【図７】図１に示された医療用バッグにおける製造方法の更に別の具体例を説明するための説明図。
【図８】本発明の第２の実施形態としての医療用バッグを示す正面図。
【図９】本発明の第３の実施形態としての医療用バッグを示す正面図。
【図１０】本発明の第４の実施形態としての医療用バッグを示す正面図。
【図１１】本発明の第５の実施形態としての医療用バッグを示す正面図。
【図１２】本発明の第６の実施形態としての医療用バッグを示す正面図。
【図１３】本発明の第７の実施形態としての医療用バッグを示す正面図。
【発明を実施するための形態】
【００２８】
以下、本発明を更に具体的に明らかにするために、本発明の実施形態について、図面を参照しつつ、詳細に説明する。
【００２９】
図１には、本発明の第１の実施形態としての医療用バッグ１０が示されている。医療用バッグ１０は、液状体が収容される液収容領域１２を有する液収容袋１４を備えており、液収容領域１２に対して、上方への開口部１６を通じて液状体が注入され得る。なお、以下の説明において、上下方向とは、図１中の上下方向をいう。また、幅方向とは、図１中の左右方向をいう。
【００３０】
先ず、液収容袋１４は、図２に示されるように、相互に同形とされた軟質合成樹脂製の表裏２枚の内側シート１８，１８が固着されることにより形成されている。本実施形態では、透明な２枚の内側シート１８，１８の左右両側の辺部分および下辺部分が、それぞれの略全長に亘って延びる溶着部２０によって相互に熱溶着（ヒートシール）されている。また、内側シート１８，１８の重ね合わせ面間には、上方への開口部１６を有する液収容領域１２が形成されている。なお、図中では、熱溶着されている部分を灰色で示す。
【００３１】
また、これら内側シート１８の内面には、熱溶着が可能とされるように略全面に亘ってシーラント層が形成されている。なお、後述する熱溶着面を備えた各部材には、同様に、熱溶着される面の略全面に亘ってシーラント層が形成されている。
【００３２】
液収容袋１４の下端にはポート部材２２が固着されており、当該ポート部材２２を通じて、液収容領域１２が外部に連通されている。ポート部材２２には、外部管路としてのチューブ２４が接続されるようになっており、液収容領域１２に収容された液状体が、チューブ２４を通じて患者の体内へ注入されるようになっている。なお、ポート部材２２は、例えば２枚の内側シート１８，１８と共に熱溶着されることで液収容袋１４に固着されている。
【００３３】
また、液収容袋１４の上方部分には、開口内面の幅方向全長に延びるチャック部２６が設けられている。チャック部２６の具体的な構造は何等限定されるものではないが、本実施形態では、表裏の内側シート１８，１８の各内面に設けられた凸条２８ａと凹溝２８ｂからなる公知のチャックシールで構成されている。そして、凸条２８ａと凹溝２８ｂの嵌合でチャック部２６が閉鎖されることで、液収容領域１２の開口部１６が閉状態に維持可能になっている。
【００３４】
なお、本実施形態では、凸条２８ａと凹溝２８ｂがそれぞれ幅広なシート状部３０ａ，３０ｂの内面に一体形成されており、シート状部３０ａ，３０ｂが内側シート１８，１８の各内面に熱溶着されている。
【００３５】
さらに、液収容袋１４においてチャック部２６より上方に位置する上端部分では、幅方向の一方の縁部が、内側シート１８，１８の側辺部分同士を固着しないで開放可能とした非固着部３２とされている。
【００３６】
また、液収容袋１４においてチャック部２６より上方に位置する上端部分には、非固着部３２と幅方向反対側に位置する他方の縁部において、内側シート１８，１８の側辺部分同士を固着する溶着部２０の幅寸法が大きくされている。溶着部２０の幅寸法は、上縁部から下方のチャック部２６に向かって次第に幅方向内方に向かって大きくなっており、溶着部２０の幅寸法が大きいチャック部２６の近くに位置して、貫通孔３４が形成されている。貫通孔３４は、内側シート１８，１８からなる液収容袋１４を貫通しており、貫通孔３４を利用して医療用バッグ１０をスタンドなどに吊り下げることができる。
【００３７】
更にまた、液収容袋１４の表面には目盛３６が付されており、液収容領域１２内に収容された液状体の量を外部から目視で把握することができるようになっている。この目盛３６は、一方の内側シート１８に付してもよいし、両方の内側シート１８，１８に付してもよい。本実施形態では、例えば液収容領域１２に液状体を注入する場合などに使用される垂直方向の目盛３６ａと、医療用バッグ１０をスタンドなどに吊り下げた状態で使用される斜め方向の目盛３６ｂとを備えている。なお、これらの目盛３６ａ，３６ｂは、内側シート１８の表面に代えて、以下の外側シート３８に付されてもよい。すなわち、内側シートの表面には目盛を設けず、外側シートにのみ目盛を設けてもよい。なお、この場合、外側シートにのみ印刷層を設けることで製造原価を低減することができる。
【００３８】
表裏の内側シート１８，１８の各外面側には、表裏の外側シート３８，３８が重ね合わされている。表裏の外側シート３８，３８は、相互に同形とされた透明な軟質合成樹脂製のシートとされている。また、外側シート３８は、全体に亘って、内側シート１８よりも幅寸法及び上下方向の長さ寸法が大きくされている。
【００３９】
そして、表裏の内側シート１８，１８への重ね合わせ状態で、表裏の外側シート３８，３８の両側辺部分および下辺部分が、内側シート１８，１８の幅方向両縁および下縁からそれぞれ外方に延び出して広がっている。内側シート１８，１８を外方に外れた位置において、互いに重ね合わされた表裏の外側シート３８，３８が相互に熱溶着されており、両側縁と下縁をそれぞれ連続して延びる溶着部４０が形成されている。この結果、表裏の外側シート３８，３８が有底筒状とされており、内側袋としての液収容袋１４を中空内部に収容して外側から覆う外側袋４２が構成されている。
【００４０】
また、内側シート１８と外側シート３８とは、外側シート３８の上端縁に設けられた固着部４４において固着されて繋がっている。本実施形態では、互いに重ね合わされた内側シート１８と外側シート３８とが上端縁で熱溶着されることで固着されている。特に本実施形態では、固着部４４が一定の上下方向寸法をもって、液収容袋１４の幅方向略全長に亘って延びている。
【００４１】
なお、液収容袋１４の非固着部３２と対応する位置では、外側シート３８，３８の側辺部分同士が固着されない非固着部４６とされている。一方、液収容袋１４の貫通孔３４は、外側シート３８，３８に形成された貫通孔４８，４８を通じて外側袋４２も貫通している。
【００４２】
さらに、外側袋４２の下部の片方の角部では、ポート部材２２が、袋内外に貫通して配設されている。ポート部材２２と外側シート３８，３８とは、固着されていなくても良い。
【００４３】
一方、表裏の外側シート３８，３８には、それぞれ、外側シート３８を貫通するスリット５０が形成されている。スリット５０は、液収容袋１４の上下方向で中央よりも上方に位置して、より好適にはスリット５０の少なくとも一部がチャック部２６よりも上側に、或いは、チャック部２６と重なる位置に設けられる。更に好適には、スリット５０の上下方向中央がチャック部２６と重なる位置に設けられ、或いは、スリット５０がチャック部２６よりも上方に外れた位置に設けられる。なお、スリットは、一つの指のみ挿入される寸法としてもよいし、人差指及び中指等、複数の指が挿入されるようにしてもよい。また、スリット以外の挿入口を採用してもよい。
【００４４】
スリット５０は、僅かに傾斜して上下方向へ直線的に延びており、手指の指先が挿入可能な指挿入口を構成している。特に、本実施形態では、スリット５０が、外側シート３８の幅方向中央よりも片側（本実施形態では、図１中の左側）に偏倚して設けられている。
【００４５】
スリット５０に対して、左右の偏倚方向（図１中の左側）から挿入された指先は、内側シート１８と外側シート３８との間の隙間に形成された開口操作部としての指挿入領域５２に差し入れられるようになっている。指挿入領域５２は、上方が、内外シート１８，３８が繋がった固着部４４とされている一方、下方は、内外シート１８，３８が固着されずに外側シート３８の下端まで達している。
【００４６】
それ故、図３に示されるように、両外側シート３８，３８のスリット（指挿入口）５０，５０に対して、幅方向一方の側から片手の手指（例えば親指と人差指）を差し入れて、両外側シート３８，３８を相互に離隔させる方向に指先を開くことで、液収容領域１２の開口部１６を開くことができる。そして、反対側の手で薬液などの液状体が入った容器を傾けるなどして、開口部１６を通じて液収容領域１２へ薬液を注入することができる。
【００４７】
なお、開口部１６を開く際において、チャック部２６は、開状態であっても閉状態であってもよい。すなわち、スリット５０に挿入された手指の指先を開く力を利用して凸条２８ａと凹溝２８ｂの凹凸嵌合を解除してもよいし、予めチャック部２６を開状態とした後に指先を開いて開口部１６を拡開させてもよい。
【００４８】
ここにおいて、手指が挿入されるスリット５０では、上方の固着部４４において内側シート１８と外側シート３８とが繋がっていることから、内側シート１８に繋がっていない下方よりも開口端縁に近い上側に対して、手指による開口操作力が効率的に作用し得る。その結果、液収容領域１２の開口部１６を上方に向かって大きく開口させて、例えば漏斗状に広げることも容易になる。それ故、使用者は視覚的に開口を広く感じることができて、液収容領域１２に対して、内側シート１８の開口部１６に対して液状体を容易に且つ安定して注入することが可能になる。
【００４９】
また、液収容領域１２を形成する内側シート１８の中央部分には、外側シート３８が溶着されていないことから、内側シート１８の中央部分が不必要に大きく開口してしまうこともなく、安定して例えば漏斗状に広げることが可能になる。
【００５０】
また、指挿入口（スリット５０）に挿入される外側シート３８が内側シート１８に比して幅寸法が大きく、表裏の内側シート１８，１８を幅方向に外れた側縁部において互いに繋がっていることから、外側シート３８の変形自由度を高くすることができて、操作性を向上することができる。外側シート３８の変形自由度が高いことで、手の動作に問題がある人でも外側シート３８を操作しやすく、また、指挿入口５０に指を挿入し易い。特に、本実施形態においては、外側シート３８が構成する袋（外側袋４２）と内側シート１８が構成する袋（液収容袋１４）とが繋がった部分を除き独立して動くため、汎用性が高い開口操作を実現することができる。また、外側シート３８が構成する袋４２の幅方向寸法が内側シート１８が構成する袋１４の幅方向寸法に比して大きく、外側シート３８が構成する袋４２の側縁が内側シート１８の外方にあることで、例えば、開口時の内側シート１８の開口形状をより円状に近づけることができたり、医療用バッグ１０の開口幅を内側袋１４より大きい形状にしたりすることができる。すなわち、内外袋１４，４２の側縁が固着されていると、側縁の剛性が高くなることで、開口断面形状は細長くなり易かったり、操作力を内側シート１８に与える外側シート３８の変形可能幅と内側シート１８の変形可能幅が同じであることで、内側シート１８の側方部に自由度高く力を伝えにくかったりするが、内外袋１４，４２の側縁が別にあることで内側シート１８，１８同士の側方部を広げ易くすることができる。
【００５１】
更にまた、本実施形態では、スリット５０の少なくとも一部がチャック部２６よりも上方に設けられていることから、手指の操作力で開口部１６の上端をより効率的に大きく開口させることができる。また、チャック部２６の剛性を利用して、開かれた開口部１６の形状安定性も向上され得る。
【００５２】
かくの如き医療用バッグ１０の製造方法は何等限定されるものではないが、具体的な一例を、図４を示して説明する。なお、以下の製造方法の説明において、基本的にシート同士の固着はプレス溶着装置による熱溶着によって行われるが、手作業により行われてもよいし、例えば接着剤による接着によって行われてもよい。
【００５３】
先ず、内側シート１８および外側シート３８を構成する所定幅で長尺物の樹脂シートを、それぞれロール状に巻いた状態で準備する。また、チャック部２６を構成する凸条２８ａと凹溝２８ｂも、同様に、長尺物をリール状に巻いた状態で準備する。
【００５４】
なお、内側シート１８に付される目盛３６は、ロール状に巻いた状態で予め印刷されていてもよいし、内側シート１８として所定の形状にカットされた後や、液収容袋１４が形成された後に印刷されてもよい。同様に、外側シート３８に形成されるスリット５０や貫通孔４８も、ロール状に巻かれた状態や所定形状にカットされた状態、或いは医療用バッグ１０が形成された後に設けられてもよい。
【００５５】
そして、内側シート１８を構成する樹脂シートがロールから引き出されるとともに、凸条２８ａを有するシート状部３０ａと凹溝２８ｂを有するシート状部３０ｂの各一方がリールから引き出されて、重ね合わされる。これらシート状部３０ａ，３０ｂは、内側シート１８，１８を構成する各樹脂シートに対して、長さ方向で連続して溶着される。
【００５６】
続いて、これら内側シート１８，１８を相互に重ね合わせて、溶着部２０において熱溶着を施すことで液収容袋１４を得る。なお、この熱溶着に際して、溶着部２０に位置する凸条２８ａや凹溝２８ｂは、熱による変形とプレス装置による押圧によって押し潰されて実質的に消失する。
【００５７】
また、内側シート１８，１８の溶着処理の前又は後の工程において、樹脂シートを所定の形状にカットする。なお、貫通孔３４も、内側シート１８，１８の溶着処理の前又は後の工程において形成される。なお、内側シート１８，１８の溶着時に、ポート部材２２を間に挟んだ状態で溶着することで、内側シート１８と共にポート部材２２が溶着され得る。尤も、内側シート１８，１８においてポート部材２２の固着部分以外を溶着することで、液収容袋１４の形成後に、液収容袋１４に対してポート部材２２を挿入して接着することなども可能である。
【００５８】
一方、外側シート３８を構成する樹脂シートをロールから引き出して、液収容袋１４を構成する内側シート１８，１８の両外面に重ね合わせる。
【００５９】
そして、一対の外側シート３８，３８の間に液収容袋１４を挟んだ状態で、液収容袋１４を幅方向両側及び下方にそれぞれ外れた位置で、外側シート３８，３８同士を溶着部４０において熱溶着する。
【００６０】
また、内側シート１８と外側シート３８とを、各上端縁部において熱溶着して固着部４４を形成する。これにより、外側袋４２の形成と同時に内側袋（液収容袋）１４を外側袋４２に収容して、医療用バッグ１０を得る。
【００６１】
なお、内側シート１８と外側シート３８との固着部４４における熱溶着は、例えば内側シート１８，１８同士の間に溶着阻止シートを間に挟んだ状態で熱溶着を行うことで、内側シート１８，１８同士の溶着が回避され得る。
【００６２】
また、上記の外側シート３８，３８における溶着部４０の溶着処理や内側シート１８と外側シート３８における固着部４４の溶着処理の前又は後の工程において、外側シート３８，３８を形成する樹脂シートを所定の形状にカットして外側袋４２とすることができる。
【００６３】
なお、ここに例示した医療用バッグ１０の製造工程において、例えば、チャック部２６は、凸条２８ａと凹溝２８ｂとが噛合した状態（チャック部２６が閉じた状態）で、内側シート１８，１８同士の溶着に伴う液収容袋１４の形成と同時に、内側シート１８，１８の各一方に対して溶着されてもよい。
【００６４】
また、本実施形態では、内側シート１８と外側シート３８とが別体とされていることから、内側袋（液収容袋）１４の材質と外側袋４２の材質とを各別に選択することができる。これにより、例えば外側袋４２の材質としてより強度の大きい材質を選択することができたり、内側袋１４の材質としてより耐薬品性の高い材質を選択することなども可能となる。また、シーラント層が外面にある場合、外表面強度が弱くなる傾向にあるが、内側シート１８の外表面がシーラント層であっても、外側シート３８の外表面をシーラント層とする必要がないので、外側シート３８に強度が高いシート材質を用いることで製品外観に傷が付きにくいようにすることができる。各要求性能を両立させた材質は高額化する傾向があるが、各要求性能を内外シート１８，３８に分けることで安価なシートを採用することができる。また、例えば開口部１６を開く方向に大きな操作力が及ぼされやすい内側シート１８と外側シート３８をそれぞれ好ましい材質に変えることもできる。
【００６５】
医療用バッグ１０の製造方法の別の具体例を、図５〜７に例示する。
【００６６】
図４に示された製造方法では、凸条２８ａが設けられた内側シート１８と凹溝２８ｂが設けられた内側シート１８とが、別個に形成されていたが、図５に示される製造方法では、両内側シート１８，１８が一体に連続した単一の内側シート部材６０として形成されている。本態様では、両内側シート１８，１８が下辺を共通して形成されており、内側シート部材６０を中央の一点鎖線で折り返して、両側辺部分および下辺部分の溶着部２０を溶着することで液収容袋１４を形成する。なお、下辺部分の溶着は必須ではない。
【００６７】
また、本態様では、一対の外側シート３８，３８が、一体に連続した単一の外側シート部材６２として形成されており、両外側シート３８，３８が下辺を共通して形成されている。そして、外側シート部材６２を中央の一点鎖線で折り返して、両側辺部分を溶着することで外側袋４２を形成する。
【００６８】
なお、液収容袋１４に設けられる貫通孔３４や、外側袋４２に設けられるスリット５０および貫通孔４８は、適切なタイミングで設けられ得る。
【００６９】
そして、外側袋４２の上方開口部から液収容袋１４を挿入して、これら液収容袋１４と外側袋４２とを、外側袋４２の上端の固着部４４で溶着することで、医療用バッグ１０を形成する。
【００７０】
本態様に従う製造方法では、液収容袋１４と外側袋４２とが、それぞれ各１枚のシート（内側シート部材６０および外側シート部材６２）で形成されることから、例えば図４に示された製造方法に比べて、部材点数の減少が図られる。
【００７１】
また、図６に示される製造方法では、先ず、チャック部２６を構成する凸条２８ａを有する矩形状シート７０ａと、チャック部２６を構成する凹溝２８ｂを有する矩形状シート７０ｂとを準備する。そして、両矩形状シート７０ａ，７０ｂの周囲を所定の範囲に亘って溶着した後、図６の中央に示されるように、一対の内側シート１８，１８と一対の外側シート３８，３８とを一体として有する袋状部材７２を切り出す。
【００７２】
すなわち、両矩形状シート７０ａ，７０ｂのそれぞれからは、内側シート１８と外側シート３８とが一体とされたシート部材７４が切り出されるようになっており、表裏のシート部材７４，７４が相互に溶着されることで袋状部材７２が構成されている。なお、シート部材７４において、内側シート１８と外側シート３８とは、それぞれの上辺を共通とするように形成されている。
【００７３】
なお、本態様では、切り出された袋状部材７２において、内側シート１８，１８同士が溶着部２０で溶着されており、袋状部材７２の下方部分には、液収容袋１４が形成されている。一方、内側シート１８の上方に位置する外側シート３８は、周囲が溶着されていない状態とされている。また、ポート部材２２のシート部材７４，７４への固着や、貫通孔３４，４６やスリット５０の形成は、適切なタイミングで行われ得る。
【００７４】
このような状態から、袋状部材７２の両外側シート３８，３８のそれぞれを、内側シート１８，１８に対して外面側から重なるように、中央の一点鎖線で対向方向外側に折り返す。そして、外側シート３８，３８同士を溶着部４０で溶着することにより、医療用バッグ１０を形成する。
【００７５】
なお、本態様では、シート部材７４（袋状部材７２）において、内側シート１８と外側シート３８とが上辺を共通して一体的に繋がって形成されていることから、外側シート３８を折り返した後、外側シート３８の上端における固着部４４において内側シート１８と外側シート３８とを固着する必要はないが、要求される強度などに応じて固着されてもよい。
【００７６】
さらに、図７に示される製造方法では、先ず、内側シート１８と外側シート３８とを一体的に備える形状とされた表裏のシート部材８０ａ，８０ｂを準備する。これらのシート部材８０ａ，８０ｂには、チャック部２６を構成する凸条２８ａと凹溝２８ｂの各一方が固着される。なお、本態様では、前記図６の態様と同様に、シート部材８０ａ，８０ｂでは、内側シート１８と外側シート３８の上辺が共通とされている。
【００７７】
そして、これらシート部材８０ａ，８０ｂを相互に重ね合わせ、内側シート１８，１８における溶着部２０と外側シート３８，３８における両側辺部分を相互に溶着して、袋状部材８２を形成する。この袋状部材８２では、シート部材８０ａ，８０ｂの両側辺部分と下辺部分とが溶着されており、袋状部材８２の上辺部分は非固着とされている。そして、内側シート１８，１８において周囲の溶着部２０が溶着されることにより、袋状部材８２の下方部分には、液収容袋１４が形成されている。
【００７８】
なお、ポート部材２２のシート部材８０ａ，８０ｂへの固着や、貫通孔３４，４８やスリット５０の形成は、適切なタイミングで行われ得る。
【００７９】
そして、このような袋状部材８２を、上方の開口部（非固着部）から手指などを差し入れて、外側シート３８，３８を上方から捲るように裏返して内側シート１８，１８の外面側に重ね合わせる。これにより、医療用バッグ１０を形成する。なお、この場合、各シート部材８０ａ，８０ｂには片面表面にのみシーラント層があれば加熱溶着により製袋可能であり、製造コストを低減させることができる。
【００８０】
なお、本態様における医療用バッグ１０では、外側シート３８，３８の下辺部分同士が溶着される必要はない。また、前記図６の態様と同様に、シート部材８０ａ，８０ｂにおいて、内側シート１８と外側シート３８の上辺部分が共通とされて繋がっていることから、内側シート１８と外側シート３８とは、外側シート３８の上端の固着部４４で溶着される必要はない。尤も、要求される強度などの特性に応じて、外側シート３８，３８の下辺部分や、外側シート３８の上端の固着部４４は、固着されてもよい。なお、外側シート３８，３８の下辺部分や固着部４４の溶着が行われない場合、シート部材８０ａ，８０ｂの外面におけるシーラント層は必要なものではない。さらに、超音波溶着等によりシーラント層を用いずに各シート部材８０ａ，８０ｂ同士を固定してもよい。
【００８１】
また、図６，７に示される態様に従う製造方法においても、医療用バッグ１０が、それぞれ２枚のシート（矩形状シート７０ａ，７０ｂおよびシート部材８０ａ，８０ｂ）により形成されることから、部材点数の減少が図られる。
【００８２】
以下、図８〜１３を示して、本発明の第２〜第７の実施形態について説明する。なお、これらの実施形態に記載の医療用バッグの製造方法は、何等限定されるものではない。
【００８３】
図８には、本発明の第２の実施形態としての医療用バッグ９０が示されている。以下の実施形態における医療用バッグの基本的な構造は、前記第１の実施形態と同様であることから、以下の説明では、前記実施形態との相違点のみを説明するとともに、前記実施形態と実質的に同一の部材および部位については、図中に、前記実施形態と同一の符号を付すことで詳細な説明を省略する。
【００８４】
本実施形態では、液収容袋９２を構成する内側シート９４の上端部分において、図８中の右側の端部に、幅方向外方に突出する突出部９６が設けられている。本実施形態では、突出部９６が略直角三角形状とされており、当該突出部９６が設けられることで、内側シート９４における上端の辺の長さが長くされている。
【００８５】
また、外側袋９８を構成する外側シート１００の上端部分において、内側シート９４の突出部９６と対応する位置には、当該突出部９６と対応する形状とされた突出部１０２が形成されている。
【００８６】
なお、本実施形態では、内側シート９４及び／又は外側シート１００の上端において、幅方向略中央から上方に突出する突出片１０４が設けられており、当該突出片１０４に貫通孔３４が形成されている。尤も、突出片１０４は、図８中右側の端部などに設けられてもよい。また、図８中の左側の端部における外側シート１００，１００同士の非固着部４６は設けられる必要はなく、図８中の左側の端部の上端まで溶着部４０が延びていてもよい。
【００８７】
以上の如き構造とされた本実施形態の医療用バッグ９０においても、内側シート９４と外側シート１００とが、外側シート１００の上端に設けられた固着部４４において溶着されて繋がっていることから、例えば開口部１６を漏斗状に拡開することも可能であり、前記第１の実施形態と同様の効果が発揮され得る。
【００８８】
特に、本実施形態では、幅方向外方に突出する突出部９６，１０２により開口部１６の周縁の長さが長くされることから、開口部１６をより大きく開くことができる。
【００８９】
次に、図９には、本発明の第３の実施形態としての医療用バッグ１１０が示されている。本実施形態では、液収容袋１１２を構成する内側シート１１４の上端部分において、図９中の右側の内側シート１１４，１１４同士が固定されている一方、図９中の左側の内側シート１１４，１１４同士が固定されていない。このため、内側シート１１４，１１４が構成する袋（液収容袋１１２）は、図９中の左側の非固着部３２を介して大きく開口させることが可能となっている。また、図９中の左側の端部に凹部１１６が形成されており、当該凹部１１６の形成位置において、内側シート１１４の幅寸法が小さくされている。凹部１１６は、内側シート１１４の上端から上下方向略中央まで延びており、内側シート１１４の凹部１１６の形成位置における幅寸法が、凹部１１６よりも下方の部分における幅寸法よりも小さくされている。なお、以下の実施形態において、医療用バッグを吊り下げるための吊り穴は、内側シートや外側シートに形成したり、別途吊り穴を有するシートを貼り付けたりして設けることができる。
【００９０】
また、本実施形態では、外側袋１１８を構成する外側シート１２０にも同様の凹部１２２が形成されており、当該凹部１２２の形成位置において、外側シート１２０の幅寸法が小さくされている。凹部１２２は、内側シート１１４の凹部１１６と略対応する位置に形成されており、外側シート１２０の凹部１２２の形成位置における幅寸法が、凹部１２２よりも下方の部分における幅寸法よりも小さくされている。
【００９１】
さらに、本実施形態では、内側シート１１４の上下寸法が外側シート１２０の上下寸法よりも大きくされている。特に、本実施形態では、内側シート１１４と外側シート１２０との固着部４４が、液収容領域１２の開口部１６において、内側シート１１４の上端から下方に離隔した位置に設けられている。
【００９２】
これにより、内側シート１１４の上方部分が外側シート１２０の上端よりも上方に突出している。また、本実施形態では、スリット５０がチャック部２６に跨って設けられており、スリット５０が、チャック部２６の外側に位置している。これにより、スリット５０は、内側シート１１４および外側シート１２０に設けられた凹部１１６，１２２の幅方向内方に設けられている。
【００９３】
以上の如き構造とされた本実施形態の医療用バッグ１１０においても、内側シート１１４と外側シート１２０とが、外側シート１２０の上端における固着部４４で溶着されて繋がっていることから、例えば開口部１６を漏斗状に拡開することも可能であり、前記第１の実施形態等と同様の効果が発揮され得る。
【００９４】
次に、図１０には、本発明の第４の実施形態としての医療用バッグ１３０が示されている。本実施形態の医療用バッグ１３０は、基本的には前記第３の実施形態の医療用バッグ（１１０）と同様の形状であるが、本実施形態では、外側シート１３２の下辺部分が、液収容袋１１２を構成する内側シート１１４の下辺部分よりも上方に位置している。
【００９５】
具体的には、外側シート１３２の下辺部分が、内側シート１１４における凹部１１６の下端よりも上方に位置している。これにより、外側シート１３２が、内側シート１１４において凹部１１６が形成されて幅寸法が小さくされた部分の外側に設けられている。それ故、本実施形態においても、凹部１１６の幅方向内方にスリット５０が設けられている。
【００９６】
なお、本実施形態では、外側シート１３２の幅方向両側において、内側シート１１４を幅方向に外れた部分の下端部分では、外側シート１３２，１３２同士がスポット的に熱溶着されている。これにより、表裏の外側シート１３２，１３２の両側縁部が相互に繋がっており、液収容袋１１２の上方部分、特に本実施形態では、凹部１１６の形成部分を覆う周方向のカバー状とされている。
【００９７】
以上の如き構造とされた本実施形態の医療用バッグ１３０においても、内側シート１１４と外側シート１３２とが、外側シート１３２の上端に設けられた固着部４４において溶着されて繋がっていることから、例えば開口部１６を漏斗状に拡開することも可能であり、前記第１の実施形態等と同様の効果が発揮され得る。
【００９８】
次に、図１１，１２には、本発明の第５、第６の実施形態としての医療用バッグ１４０，１４２が示されている。これらの実施形態では、内側シート１１４の上端部分において、図１１，１２中の右側の内側シート１１４，１１４同士が固定されている一方、図１１，１２中の左側の内側シート１１４，１１４同士が非固定とされている（非固着部３２）。さらに、外側シート１４４，１４６の上辺が、左右方向に対して傾斜している。具体的には、図１１，１２中の右方端部において、内側シート１１４の上端と外側シート１４４，１４６の上端とが相互に重ね合わされているとともに、図１１，１２中の左方端部において、外側シート１４４，１４６の上端が、内側シート１１４の上端から下方に離隔した位置に重ね合わされている。
【００９９】
これにより、これらの実施形態では、外側シート１４４，１４６の上端に設けられた固着部１４８が、前記第１〜第４の実施形態の固着部（４４）よりも大きな面積を有する、三角形乃至は台形形状の領域をもって形成されており、内側シート１１４の上方において、図１１，１２中の右側にまで操作力が伝わり易くなっている。なお、固着部１４８の領域内において、適切な位置や形状をもって非固着部を設けて剛性が小さい部分を形成し、固着部１４８が、当該非固着部を軸に折れ曲がるようにしてもよい。
【０１００】
なお、図１１に示される第５の実施形態では、外側シート１４４の下辺部分が、内側シート１１４の下辺部分より上方に位置しており、外側シート１４４，１４４が、液収容袋１１２の上方部分を覆うカバー状とされている。一方、図１２に示された第６の実施形態では、外側シート１４６の下辺部分が内側シート１１４の下辺部分より下方に位置しており、外側シート１４６，１４６が、内側袋としての液収容袋１１２を収容する外袋状とされている。
【０１０１】
以上の如き構造とされた医療用バッグ１４０，１４２においても、内側シート１１４と外側シート１４４，１４６とが、外側シート１４４，１４６の上方部分に設けられた固着部１４８で溶着されて繋がっていることから、例えば開口部１６を漏斗状に拡開することも可能であり、前記第１の実施形態等と同様の効果が発揮され得る。
【０１０２】
次に、図１３には、本発明の第７の実施形態としての医療用バッグ１６０が示されている。本実施形態の医療用バッグ１６０では、両側辺部分と下辺部分とが固着されて上方への開口部１６を有する液収容袋１６２の上方部分が外方へ捲られるように裏返されて内側シート１６４の外面側に重ね合わされている。したがって、外方へ捲られる液収容袋１６２の上方部分により表裏の外側シート１６６，１６６が構成されている。
【０１０３】
なお、上方部分が外方へ捲られる以前の液収容袋１６２は、その両側辺部分が略全長に亘って固着されており、外方へ捲られた外側シート１６６，１６６の両側辺部分も相互に固着されて繋がっている。これにより、外側シート１６６，１６６が、液収容袋１６２の上方部分を覆う周方向のカバー状とされている。
【０１０４】
また、本実施形態においても、内側シート１６４の上方部分において、図１３中の左側の端部に凹部１１６が設けられており、凹部１１６が設けられて内側シート１６４において幅寸法が小さくされた部分を、カバー状の外側シート１６６，１６６が覆っている。したがって、本実施形態においても、凹部１１６の幅方向内方にスリット５０が設けられている。なお、外側シート１６６，１６６における図１３中の下方端部が凹部１１６に当接することで好ましい裏返し位置を規定してもよい。また、裏返した後に両外面からプレスをかけたり、内側シート１６４と外側シート１６６との繋がり部分を加熱等行い、固着部を追加で設けてもよい。
【０１０５】
以上の如き構造とされた医療用バッグ１６０においても、内側シート１６４の上方部分を外方に捲り裏返すことで外側シート１６６が構成されることから、内側シート１６４の上端と外側シート１６６の上端とが相互に繋がっている。そして、スリット５０に手指を差し入れて開くことで、例えば開口部１６を漏斗状に開口することも可能であるから、前記第１の実施形態等と同様の効果が発揮され得る。
【０１０６】
なお、例えば内側シート１６４の上端と外側シート１６６の上端とは、要求される強度等の特性に応じて、相互に固着されてもよい。また、幅方向に連続して固着されることが好ましいが、幅方向に複数のポイントシールを設けてもよい。
【０１０７】
以上、本発明の実施形態について説明してきたが、本発明は上述の実施形態や解決手段の欄における具体的乃至は限定的な記載によって制限的に解釈されるものでなく、当業者の知識に基づいて種々なる変更、修正、改良などを加えた態様で実施可能である。
【０１０８】
たとえば、前記実施形態では、指挿入口を構成するスリット５０が、上下方向に対して傾斜して延びていたが、上下方向に真っ直ぐ延びていてもよく、また、直線状に延びる必要はなく、波形状であったり、適切な幅寸法を有していてもよい。更にまた、指挿入口はスリット以外のどのような手段で形成されてもよく、あるいは、特許第６０８８１１１号公報に記載されているように、外側シートに切片を設けて、当該切片を外側シートと内側シートとの間に折り返したり、切り欠きを形成したりすることで、手指を挿入するための指挿入口が形成されてもよい。また、特許第６０８８１１１号公報の図１８のように、指挿入領域５２が、外側シートと内側シートとの間で非固着とされた部分を通じて側方に開口する場合には、当該非固着とされた部分により指挿入口が構成されてもよい。
【０１０９】
さらに、本発明において、外側シートや内側シートの形状は何等限定されるものではない。外側シートおよび内側シートの上下辺部分や両側辺部分は、水平方向や上下方向に対して傾斜したり湾曲していてもよい。また、外側シートの幅寸法は、上下方向の全長に亘って内側シートの幅寸法より大きくされる必要はなく、外側シートは、上下方向の少なくとも一部が内側シートよりも幅方向外方に突出して、当該突出部分において、表裏の外側シートが相互に繋がっていてもよい。
【０１１０】
また、前記図５に示される製造方法では、内側シート部材６０および外側シート部材６２において、内側シート１８，１８同士、および外側シート３８，３８同士がそれぞれ下辺部分を共通として繋がっていた。さらに、図６，７に示される製造方法では、シート部材７４，８０ａ，８０ｂにおいて、内側シート１８と外側シート３８とがそれぞれ上辺部分を共通として繋がっていたが、これらのようにシート同士が繋がっている場合、上辺部分や下辺部分に代えて、側辺部分同士が繋がっていてもよい。
【０１１１】
更にまた、前記実施形態では、外側シート３８，１００，１２０，１３２，１４４，１４６，１６６が、その上端において内側シート１８，９４，１１４，１６４に繋がっていたが、外側シートが内側シートに固着される場合、外側シートの上端から下方に離隔した位置に固着部が設けられてもよく、固着部が設けられる部分は、外側シートの上端に限定されるものではない。
【０１１２】
なお、例えば前記第１〜第４の実施形態において、固着部４４は、外側シート３８，１００，１２０，１３２の上端に加えて、手指の挿入が想定される部分よりも手指の挿入方向奥側（例えば図１中の右側）まで、例えば略三角形状や略台形状に広がっていてもよい。尤も、固着部はチャック部を上方に外れた位置に設けられることが好ましい。これにより、例えば外側シートと内側シートとを溶着する場合には、溶着による熱でチャック部が変形することが防止され得る。
【符号の説明】
【０１１３】
１０，９０，１１０，１３０，１４０，１４２，１６０：医療用バッグ、１２：液収容領域、１４，９２，１１２，１６２：液収容袋、１６：開口部、１８，９４，１１４，１６４：内側シート、２６：チャック部、３８，１００，１２０，１３２，１４４，１４６，１６６：外側シート、５０：スリット（指挿入口）
【図１】
2020081740.tif 000003
【図２】
2020081740.tif 000004
【図３】
2020081740.tif 000005
【図４】
2020081740.tif 000006
【図５】
2020081740.tif 000007
【図６】
2020081740.tif 000008
【図７】
2020081740.tif 000009
【図８】
2020081740.tif 000010
【図９】
2020081740.tif 000011
【図１０】
2020081740.tif 000012
【図１１】
2020081740.tif 000013
【図１２】
2020081740.tif 000014
【図１３】
2020081740.tif 000015